Podtech/llm-jp-corpus-v4-ja_patent huggingface dataset:
(57)【要約】【課題】  揮発性物質を含有するゲルが容器内に安定配置され、取り扱い性に優れる揮発性物質の発生装置を提供する。【解決手段】  揮発性物質の放出開口９を備える容器３、４内に揮発性物質を含有するゲル５が充填されて構成される揮発性物質の発生装置１において、容器３、４の内面に、充填されるゲル５の内部に位置してゲル５の位置決め固定を行う突起７が備えられてなる揮発性物質の発生装置。【選択図】図３
0003159387.tif 000002
【実用新案登録請求の範囲】
【請求項１】
揮発性物質の放出開口を備える容器内に前記揮発性物質を含有するゲルが充填されて構成される揮発性物質の発生装置において、
前記容器の内面に、前記充填されるゲルの内部に位置して前記ゲルの位置決め固定を行う突起が備えられてなることを特徴とする揮発性物質の発生装置。
【請求項２】
前記容器が、上面が開放した扁平形態の前記ゲルの収納体とその収納体の開放部を覆う蓋体とからなり、前記放出開口がその蓋体に設けられてなる請求項１記載の揮発性物質の発生装置。
【請求項３】
前記揮発性物質が小バエ等の虫の誘引機能を持つ請求項１または２記載の揮発性物質の発生装置。
【考案の詳細な説明】
【技術分野】
【０００１】  この考案は、虫誘引成分や芳香成分や消臭成分等を含む揮発性物質の発生装置に関する。
【背景技術】
【０００２】  厨房等においては小バエが発生することがあり、その除去は、例えば、容器内に小バエの誘引機能を持つ揮発性物質を納め、それに誘引されて容器の開口より侵入する小バエを捕獲することで行う。
【考案の概要】
【考案が解決しようとする課題】
【０００３】  上記の揮発性物質は誘引成分がアルコールに溶解された液状のものであるが、最近ではその揮発性物質をゲルに含有させた状態として容器内に用いることが行われている。ゲルに含有させることで揮発性物質の取り扱いが容易となり、また、容器からの液漏れが回避され、さらに、揮発性物質の揮発が一定に継続して行われる利点がある。
【課題の解決手段】
【０００４】  この考案では、揮発性物質を含有するゲルが容器内に安定配置され、その取り扱い性に優れる揮発性物質の発生装置を提供することを目的とする。
【０００５】  この考案では、揮発性物質の放出開口を備える容器内に前記揮発性物質を含有するゲルが充填されて構成される揮発性物質の発生装置において、前記容器の内面に、前記充填されるゲルの内部に位置して前記ゲルの位置決め固定を行う突起が備えられてなることを特徴とする揮発性物質の発生装置を提供する。
【０００６】  上記構成によれば、容器内面に設けられた突起が充填されたゲルの内部に位置することで、ゲルの位置決め固定が行われる。これにより、取り扱いに際し衝撃を受けたり、また、垂直方向等に置かれた場合にも容器内にゲルが安定した状態に保持される。
【０００７】  上記容器が、上面が開放した扁平形態のゲルの収納体とその収納体の開放部を覆う蓋体とからなり、放出開口がその蓋体に設けられてなる構成とされることで、収納体が扁平形状であるのでゲルは広い表面を持ち、これによりその広い表面から効率良く揮発性物質の揮発が行われて大きな誘引機能が発揮される。収納体は扁平であることで浅底となるが、突起があることでゲルは安定固定される。また、突起が有ることで扁平形状の収納体の強度も高められる。
【０００８】  揮発性物質としては、装置の用途に対応して虫誘引成分や芳香成分や消臭成分等の成分を含むものを適宜使用すればよく、虫誘引成分を含むものを用いる場合は、それとともに殺虫成分をゲルに含有させることで小バエ等の捕獲性能に優れる装置が得られる。
【考案の効果】
【０００９】  この考案によれば、揮発性物質を含有するゲルが容器内に安定配置されるとともにその取り扱い性に優れる揮発性物質の発生装置が得られ、これにより、ゲルが安定収納された各種成分の揮発性能に優れる誘引型虫取り器や芳香発生器等が提供される。
【図面の簡単な説明】
【００１０】
【図１】  この考案の揮発性物質の発生装置の実施形態の外観斜視図
【図２】  この考案の揮発性物質の発生装置の実施形態の分解斜視図
【図３】  この考案の揮発性物質の発生装置の実施形態の断面図
【図４】  この考案の揮発性物質の発生装置の実施形態の販売時の斜視図
【考案を実施するための最良の形態】
【００１１】  図１はこの考案の揮発性物質の発生装置である誘引型小バエ取り器の実施形態の外観斜視図、図２は同分解斜視図、図３は同断面図である。【００１２】  小バエ取り器１は、上面が開放した扁平形態のゲルの収納体３と、その収納体３の開放部を覆う平面形態を「カエルの顔」とする蓋体４と、収納体３内に充填収納されるゲル５とからなる。収納体３と蓋体４とによりこの考案の容器が構成される。収納体３の底部には２個のゲル５の位置決め固定を行う突起７が一体に設けられている。蓋体４には「カエルの顔」の「口」にあたる部分に格子状の小バエの誘引開口（揮発性物質の放出開口）９が設けられている。ゲル５としては、小バエの誘引機能を持つ香料がアルコールに溶解された揮発性物質と、さらに、殺虫成分が含有されたものが使用される。【００１３】  上記小バエ取り器１は、収納体３の開放部がシールに覆われる状態で提供され、そのシールが取り外されて設置使用される。シールが取り外されることでゲル５からの揮発性物質が誘引開口９から放出され、これに誘引されて小バエが誘引開口９から小バエ取り器１内に入りゲル５上にとまり、そこに殺虫成分があることで殺虫される。【００１４】  ゲル５は位置決め固定を行う突起７が有ることで収納体３内に安定配置されている。これにより衝撃を受けた場合にもゲル５は位置ずれする恐れはない。図４はこの小バエ取り器１の販売時の形態を示し、小バエ取り器１は台紙１０上に透明カバー１１で覆われた状態で吊り下げられて展示販売される。その販売時にはゲル５が垂直状態となるが、突起７があることでゲル５は位置ずれすることが回避される。【００１５】  収納体３が扁平形状であることでゲル５は広い表面を持ち、その広い表面から効率良く揮発性物質の揮発が行われて大きな誘引機能が発揮される。収納体３は扁平であることで浅底となるが、上記のように２本の突起７があることでゲル５は収納体３内に安定して固定される。また、突起７が有ることで扁平形状の収納体５の強度も高められる。
【符号の説明】
【００１６】  １    誘引型小バエ取り器（揮発性物質の発生装置）
３    ゲルの収納体（容器）
４    蓋体（容器）
５    ゲル
７    突起
９    誘引開口（揮発性物質の放出開口）
【図１】
0003159387.tif 000003
【図２】
0003159387.tif 000004
【図３】
0003159387.tif 000005
【図４】
0003159387.tif 000006
(57)【要約】【課題】夏日でも冬日でも快適に着用できるガーゼ生地のワイシャツを提供する。【解決手段】ガーゼの単衣生地で縫製されたワイシャツ１の二枚を、共に裏面側で重ね合わせ、対峙した双方の縫目線に沿って縫い留めし、一体的に仕立てたガーゼ製のワイシャツ。【選択図】図１
0003159388.tif 000002
【実用新案登録請求の範囲】
【請求項１】
ガーゼの単衣生地で縫製されたワイシャツの二枚を、共に裏面側で重ね合わせ、対峙した双方の縫目線に沿って縫い留めし、一体的に仕立てた事を特徴とするガーゼ製ワイシャツ。
【考案の詳細な説明】
【技術分野】
【０００１】  本考案は、蒸し暑い梅雨時また猛暑の夏日に限らず寒い冬の日でも一年中快適に着用できるガーゼ製のワイシャツに関するものである。
【背景技術】
【０００２】  ワイシャツは、カッターシャツあるいはドレスシャツとも呼ばれ、主として男性の背広服の下着として上半身に着用される一種の前開きシャツである。ワイシャツは公式行事や冠婚葬祭時でも基本的にネクタイを締める事を前提に着用されるものであって、蒸し暑い時期や猛暑の続く暑い日でも正装な服装を心掛けるため、皺の成り難い綿生地のワイシャツや綿とポリエステルからなる混紡生地のワイシャツが、通気性のよい麻生地のワイシャツよりも一年を通して一般的に多く着用されている。また近年、人は暑い夏を涼しく快適に過ごせる時代を強く求める様になり、半袖シャツが多く着用されている。しかしながら、半袖シャツは、露出する腕部分で涼しさを増すが、抗菌防臭加工や形状安定加工の際に薬用樹脂が生地の繊維間の細かい目地が詰るため体内との通気性が悪い。さらに半袖シャツの上に背広を着込んだ場合、暑過ぎて、不快感を覚える問題があった。この様な問題から、通気性を配慮した夏向けワイシャツの開発が進められている。例えば特許第２７１５９２３号公報の「肩部と腕の脇側部さらに必要によっては胴の脇側部を複数のテープ状物が互いにずれ部分的に重なり合って形成される開口部を設ける重畳構造に作製する事により、体から発し上昇し肩部や腕の脇側さらに脇腹にこもる熱気を開口部から効率的に放出し、清涼感を付与したワイシャツ」、また特開１１−１２４７０１号公報の「ワイシャツ本体のヨーク下部分と袖口のカフス部分を除いた袖部をメッシュ生地で作製する事により、上衣を着ても夏を快適に過ごせるワイシャツ」などがある。
【特許文献１】特許第２７１５９２３号公報
【特許文献２】特開１１−１２４７０１号公報
【考案の開示】
【発明が開示しようとする課題】
【０００３】  しかしながら、上記の様に夏を快適に過ごせる各種のワイシャツが開発されているが、半袖シャツは、腕にかいた大汗が上衣に滲み込んで該上衣から悪臭を放つ問題があった。また熱を放出させ易い位置に開口部を設けたワイシャツは、熱の放出程度に問題があった、さらにワイシャツの大部分にメッシュ生地を使用したワイシャツは、外部から肌が透けて見える問題があった。
【０００４】  本考案者は、上記した様に夏日に着用されるワイシャツの諸問題を解消すると共に寒い冬の日でも一年を通して着用できるワイシャツのデザインや縫製方法さらに使用する生地について種々検討した結果、ワイシャツの生地に重ね構造のガーゼを使用する事によってごわごわする事なく体に接触し、しかも夏涼しく冬暖かく着用できるワイシャツが提供できる事を知見した。本考案はこの知見に基づいて構成したものである。
【課題を解決するための手段】
【０００５】  その要旨は、ガーゼの単衣生地で縫製されたワイシャツの二枚を、共に裏面側で重ね合わせ、対峙した双方の縫目線に沿って縫い留めし、一体的に仕立てたガーゼ製のワイシャツである。
【考案の効果】
【０００６】  本考案のワイシャツは、綿糸を地薄で目を粗く織った柔らかい平織布のガーゼを重ね合わせた構造に仕立てられているため型崩れする事なく公式行事や冠婚葬祭時でも着用する事が可能で、汗を吸着しまた通気性が速乾性を有する特性から蒸し暑い梅雨時や猛暑の夏日でも着用でき、しかも二重構造のガーゼ構造で縫製されているため寒い冬日でも暖かく着用できるなど、一年を通じて快適に着用できる特長がある。
【考案を実施するための最良の形態】
【０００７】  以下、本考案のガーゼ製のワイシャツについて、図面を参照しながら詳細に説明する。
図１は本考案の一実施例で、二枚のワイシャツを裏面側で重ね合わせ内（点線で示す）外（実線で示す）層に一体的に縫い留めしたワイシャツの外観正面図を示す。図１において、１は、ガーゼ生地のワイシャツを示す。ワイシャツ１は、後身頃部（図示せず）に左右の前身頃部２と両袖部３とヨーク部４さらに襟部５と前立て部６らを一体的に縫い合わせ、さらに前立て部６に前ボタン７と前身頃部２にポケット８を取り付けて着用される前開きデザインのワイシャツに縫製したもので、必要によっては袖口９にカフス部１０を付けてもよく、着用中に襟部５や袖口９やカフス部１０の型崩れを防止するため硬質布の芯材を内納して仕立ててもよい。また本考案におけるワイシャツ１のデザインは、一般に着用されるデザインのワイシャツでもよく、特に限定するものでない。すなわち本考案は、ガーゼの単衣生地で着用されるデザインに縫製されたワイシャツの二枚を、共に裏面側で内外層に重ね合わせ、対峙した双方の縫目線に沿って折り伏せ縫いやロック（片返し）縫いなどの手法で連続的また不連続的に縫い留めし、一体的に仕立てたガーゼ製のワイシャツである。【０００８】  本考案のワイシャツの生地に使用されるガーゼは、錦糸を目粗く織った薄く柔らかく吸湿性に優れた平織り布の粗製織物で、乳児の肌着やハンカチーフやタオルなどの衣料用にまた傷口手当て用の医療用などで多く使用されている。本考案はガーゼの吸湿性や通気性がありその上軽いなどの特性を利用したもので、仕立てられたワイシャツは肌触りがよく通気性もよいため汗をかきやすい夏の衣服としても最適である。また本考案のワイシャツはガーゼの二重構造で仕立てられているため寒い冬でも着用できるが、特に寒い冬用には後身頃部の二重生地間に柔らかい綿シートを鋏込む様に仕立ててもよい。
【産業上の利用可能性】
【０００９】  上記の様にガーゼの生地で仕立てられた本考案のワイシャツは、通気性がよく吸湿性もよいため蒸し暑い梅雨や猛暑の夏日でも快適に過ごす事ができる。また通気性がよいため、洗濯しても速乾性にも優れているため早期着用できる特長がある。また生地がガーゼの二層構造で仕立てられているため冬暖かく冬のワイシャツとしても着用できる利点がある。今後多くのサラリーマンが一年を通して着用されるものと思われる。
【図面の簡単な説明】
【００１０】
【図１】本考案の一実施例で、二枚のワイシャツを裏面側で重ね合わせ一体的に縫い留めしたワイシャツの外観正面図を示す。
【符号の説明】
【００１１】  １  ワイシャツ
２  前身頃部
３  袖部
４  ヨーク部
５  襟部
６  前立て部
７  前ボタン
８  ポケット
９  袖口
１０  カフス部
【図１】
0003159388.tif 000003
(57)【要約】      （修正有）【課題】日常的に使用し、足の筋肉・足首の強化を促進することができる足筋鍛錬具を提供する。【解決手段】下駄状の本体１の基台２の下部に中歯３を一体的に形成し、中歯の左側又は右側に側歯７を数本配置し側歯・中歯の中央部の穴５に支持棒８を挿入して基台の裏面６に固定する。【選択図】図３
0003159385.tif 000002
【実用新案登録請求の範囲】
【請求項１】
下駄状の基台の下部に踵から足指の長手方向へ、中歯を一体に形成した足筋鍛錬具。
【請求項２】
中歯を中心にして左側又は右側に側歯を数本配置し、側歯・中歯の中央部の穴に支持棒を挿入して、基台の下部に固定した請求項１記載の足筋鍛錬具。
【考案の詳細な説明】
【技術分野】
【０００１】  本考案は、足首を前後に曲げる鍛錬具と異なり、特定の筋肉の異常を姿勢分析により、左側方又は右側方に重心を移行しながら鍛錬・矯正する足筋鍛錬具に関する。
【背景技術】
【０００２】  骨格を矯正する治療法であるカイロプラクティックを、効果的に発揮させるためには人体の骨格を支えている筋肉・靭帯等の適正な筋力が要求される。
【考案の開示】
【考案が解決しようとする課題】
【０００３】  姿勢分析による骨格の異常は、特定の筋肉の異常からくるものであり人体の筋肉すべてが互いに関連し関係している。【０００４】  このために弱い筋肉を補強するトレーニング機が必要とされる。
【課題を解決するための手段】
【０００５】  本考案は、Ｘ脚・Ｏ脚・足首捻挫等は、脚足筋の弱さが原因とされることが多く、この部位の強化は従来のトレーニング機では矯正・補強が難しい。【０００６】  日常の生活で足首を内側・外側に意識して屈曲することは殆んどなされない。【０００７】  これを簡便に日常的に鍛錬する器具として、下駄状の本体下部に中歯を一体的に製作し中歯の左側又は右側に側歯を数本配置し、側歯・中歯の中央部の穴に支持棒を挿入して、基台の下部に固定する。【０００８】  下肢及び足首の異常の状態を判断して、側歯の左側又は右側を中歯に連結して取付け使用する。
【考案の効果】
【０００９】  上述のように本考案の下駄状の足筋鍛錬具を日常生活に取り入れることにより、Ｘ脚・Ｏ脚・足首捻挫等が矯正改善されるようになる。【００１０】  下肢・足首の筋肉・靭帯等が強化され筋力がつくことにより人体の姿勢が正常化し生体恒常性が安定する。
【考案を実施するための最良の形態】
【００１１】  以下、本考案の実施形態を図１〜図４に基づいて説明する。【００１２】  図１において、足筋鍛錬具の下駄状の本体の基台を示し中歯を一体形成し製作する。図２は本体の基台側面で中歯の中央部に支持棒挿入の穴を設ける。足を基台に乗せる前に左側又は右側に図３の側歯を支持棒で固定する。【００１３】  図３又は図４は、下駄状の本体の基台下部に側歯を支持棒により固定した状態を示す。使用の際は、中歯の左側か右側の側歯を特定する。
【図面の簡単な説明】
【００１４】
【図１】  本考案の実施形態を示す下駄状の本体基台上部からの斜視図である。
【図２】  本考案図１の側面から示したＡ矢視図である。
【図３】  本考案図１の下駄状の本体基台の下面から示した平面図である。
【図４】  本考案図３の下駄状の本体基台の下面から示した中歯を中心に側歯を配置し、各々の中央部に開けた穴に支持棒を挿入した断面図である。
【符号の説明】
【００１５】１    足筋鍛錬具の本体
２    基台
３    中歯
４    爪掛け
５    支持棒挿入の穴
６    基台の裏面
７    側歯
７ａ  側歯
７ｂ  側歯
７ｃ  側歯
８    支持棒
【図１】
0003159385.tif 000003
【図２】
0003159385.tif 000004
【図３】
0003159385.tif 000005
【図４】
0003159385.tif 000006
(57)【要約】      （修正有）【課題】フルートには幾つかの出しにくい音が存在する。その内３オクターブのＥ音は演奏中ミスすることが多い。その問題を解決するため従来Ｅメカニズムと呼ばれる装置があるが、シンプルで、調整も容易で既存のフルートにも簡単に取り付けることができるＥメカレバーを提供する。【解決手段】従来、Ｅキイカップ２を押さえ閉じると、連動して閉じていたＧ♯キイカップ６を、Ｆキイカップ３を押さえ閉じると、Ｆキイカップスクイ部分１０を経て、新Ｅメカレバー５の足部分１２を押し上げることによって、連動して閉じるようにした構造。このような構造であるから、ネジ止めや溶接の必要もなく、新Ｅメカレバー５の差込孔をＧキイカップ４の側面の芯金に差し込むだけで使用できる。【選択図】図２
0003159381.tif 000002
【実用新案登録請求の範囲】
【請求項１】
Ｇキイカップ側面に差し込むための差込孔及び、Ｆキイから連動するための足を設けた、着脱が容易なことを特徴とするＥメカレバー
【考案の詳細な説明】
【技術分野】
【０００１】本考案は、フルートのＥ音を容易に発音するための装置に関する
【背景技術】
【０００２】「図６」フルートは、内径１９ミリの管体１８にトンホール１９と呼ばれる孔が開けられておりその孔は高さ１ミリの煙突状に、１６個立ち上げられている。其々のトンホールには其々のキイカップ１６が付けられており、それを開閉することで音階がつくられる。「図５」全てのキイカップには中空の細パイプ２１が溶接されている。その細パイプ２１には芯金１４が挿入されており、その芯金１４はポスト１１にねじ込まれた槍ネジ１５よって支えられている。各キイカップは、芯金１４を支点として回転するように組み込まれている。「図５」全てのキイカップにはタンポ１７が組みこまれており、指で押さえると芯金１４を支点とし下降、トンホール１９を閉じ、指を離すとバネによって開く。足２０はキイカップの開き度合いを一定にするためのストッパーの役目や、異なるキイカップを連動させるためのクラッチの役目を持っている。「図６」フルートは頭部管、胴部管、足部管の３点で構成されているが、本考案は胴部管のキイの構造に関する。
【考案の開示】
【考案が解決しようとする課題】
【０００３】フルートには、発音し難い幾つかの音が存在する。特に高音Ｅの発音は難しく、その為にＥメカニズムと呼ばれるキイシステムが、存在する。しかし大型で複雑で、運指上邪魔になる等、問題点も多く、Ｅメカニズムを付けずに使用する奏者も多い。しかし、後で必要になっても取り付けることは機構上不可能に近かった。本考案は、従来の欠点を排除し、既存のフルートに安価で効果的で簡単に取り付け、取り外しができるフルートのＥメカレバーに関する。  Ｅメカニズムについて説明すると、「図１」高音Ｅの音を発音するさい、Ｅ音のキイカップ２を押さえ閉じるが、同時にＧ♯キイカップ６も閉じると容易に発音できることから、Ｅキイカップ２を押さえ閉じると、連動してＧ♯キイカップ６も閉じるようにした構造をＥメカニズムと称している。図面について説明すると、「図１」従来図「図５」Ｇ♯キイカップ斜視図「打点部分」、Ｅキイ２のカップ部分を押さえ閉じると、継ぎ手８連絡棒９レバー５を経てＧ♯キイ「６」の側面に溶接された、ボッチ２４を押し下げることで、Ｇ♯キイカップ６を閉じることができるのが、従来のＥメカニズムの構造である。
【問題を解決するための手段】
【０００４】本考案のＥメカニズムについて説明すると、「２図打点部分」従来、Ｅキイカップ２を押さえ閉じると、連動して閉じていたＧ♯キイカップ６を、Ｆキイカップ３を押さえ閉じると、Ｆキイカップスクイ部分１０を経て、新Ｅメカレバー５の足部分１２を押し上げることによって、連動して閉じるようにした構造。このような構造であるから、ネジ止めや溶接の必要もなく、「図３」新Ｅメカレバー５の差込孔１３をＧキイカップ４の側面「図４−１」の芯金１４に差し込むだけで使用できる。差込孔１３の内径は芯金の外径より１００分の１〜２程度の公差でガタつきが無く回転するように調整する。Ｆキイカップ３を押さえ閉じるとなぜＧ♯キイカップ６が閉じるか、説明すると、Ｆキイカップ３を押さえ閉じると、一体から成るスクイ１０は細パイプ２１に通された芯金１４を支点として上昇、新Ｅメカレバー５の足部分１２を押し上げる。その結果、新Ｅメカレバー５の先端は芯金１４を支点として下降Ｇ♯キイカップ６を押し下げ閉じる。
【考案の効果】
【０００５】従来、Ｅキイカップ２から連動して閉じていたＧ♯キイカップ５を、Ｆキイカップ３から連動して閉じても、同様の効果が得られることは、複数のプロ奏者によって検証済みである。以上の構造であるから、従来必要であった継ぎ手８連絡棒９が不要となり、シンプルで、調整も容易で既存のフルートにも簡単に取り付けることができる。
【考案を実施するための最良の形態】
【０００６】本考案の新Ｅメカレバー５は単純な構造であるから、１、精密鋳造による一体成型が可能であり、従来に比して大差な加工費の削減により、安価に供給できる。２、新Ｅメカレバーは互換性が可能であり、単体での供給が可能になる。
【図面の簡単な説明】
【０００７】
【図１】従来Ｅメカニズム「打点部分」
【図２】本考案のＥメカニズム「打点部分」
【図３】本考案のＥメカレバーの拡大図
【図４】新Ｅメカレバー取り付け手順  図４−１ 取り外した右手操作部分、芯金２２に組み込まれた様子  図４−２ 右手操作部分を取り外した様子  図４−３ Ｅメカレバー２０を取り付けた、右手操作部分を組み込んだ様子
【図５】参考図  側断面図  キイカップ斜視図  右手操作部分の芯金、他
【図６】フルートの全体図
【符号の説明】
【０００８】１、Ｅ♭キイ                                  ２１、細パイプ２、Ｅキイ                                    ２２、細パイプ中空部３、Ｆキイ                                    ２３，クラッチ４、Ｇキイ５、Ｅメカレバー「従来、新、共」６、Ｇ♯キイカップ７、Ａキイカップ８、継ぎ手９、連絡棒１０、Ｆキイカップスクイ部分１１．ポスト１２、新Ｅメカレバー足部分１３、新Ｅメカレバー差込孔１４、芯金１５、槍ネジ１６、カップ１７、タンポ１８、管体１９、トンホール２０、キイカップ足
【図１】
0003159381.tif 000003
【図２】
0003159381.tif 000004
【図３】
0003159381.tif 000005
【図４】
0003159381.tif 000006
【図５】
0003159381.tif 000007
【図６】
0003159381.tif 000008
(57)【要約】      （修正有）【課題】椅子などの脚裏のホコリやゴミをかき取ることが出来る掃除機の吸引ノズルを提供する。【解決手段】掃除機の吸引ノズル２の上部にブラシ３を植設または装着する。清掃中、椅子などの脚裏に吸引ノズル２の上部に付いたブラシ３を滑り込ませ、ホコリやゴミなどをかき取り、椅子などの脚裏のホコリやゴミの吸引除去残りをなくす。【選択図】図２
0003159389.tif 000002
【実用新案登録請求の範囲】
【請求項１】
掃除機本体に連結される吸引ノズルの上部にブラシを植設または装着した
ことを特徴とする上部ブラシ付き吸引ノズル。
【考案の詳細な説明】
【技術分野】
【０００１】
本考案は、掃除機の上部ブラシ付き吸引ノズルに関するものであり、特に椅子などの脚裏のゴミやホコリ等の吸引除去残り防止対策が施された上部ブラシ付き吸引ノズルに関するものである。
【背景技術】
【０００２】
電気掃除機は、掃除機本体と、吸引パイプを介して掃除機本体に交換可能に連結される吸引ノズルを有する。吸引ノズルとして各種のノズルが交換可能であり、床面などのホコリやゴミなどを吸引するノズルが多く使用されている。清掃した場合床面だけはホコリやゴミなどはきれいに清掃される。しかし、椅子などの脚裏にこびりついたホコリやゴミなどは吸引だけでは、除去しきれないのである。従って、目立つところにホコリやゴミなどが残り、きれいに清掃された感が半減される。よって、その都度、腰をかがめる苦痛も無く、他の掃除道具も用意せずに椅子などの脚裏も清掃できるは極めて便利である。
【先行技術文献】
【特許文献】
【０００３】
【特許文献１】特開２００３‐１７４９８６号公報
【特許文献２】特開平９‐５６６４５号広報
【考案の概要】
【考案が解決しようとする課題】
【０００４】
これまでの吸引ノズルは、椅子などの脚裏にこびりついたホコリやゴミなどを吸引だけでは除去しきれなかった。よって、椅子ならば4本の脚を1本ずつ持ち上げ、指でこびりついたホコリやゴミなどをこすり落としていた。指でこすり除去するしか有効な除去手段がないという欠点がある。これは家事において大変な労力がいるものである。
【０００５】
本考案の目的は、上述した欠点を解消し、腰をかがめる苦痛も無く、他の掃除道具も用意せずに、容易に清掃することを実現する。
【課題を解決するための手段】
【０００６】
本考案による掃除機の上部ブラシ付き吸引ノズルは、清掃中に椅子などの脚裏にこびりついたホコリやゴミなどを、かき取り除去する掃除機の上部ブラシ付き吸引ノズル、また上部装着式ブラシであって、
掃除機本体に連結される吸引ノズルの上部に植設または装着したブラシを特徴とする。
【考案の効果】
【０００７】
本考案では、掃除機の吸引ノズルの上部にブラシが付いているので、椅子などの脚裏にこびりついたホコリやゴミなどをかき取ることで、吸引除去残り、それに伴う腰をかがめる、他の掃除道具を用意するなどの労力を大幅に改善される。
【図面の簡単な説明】
【０００８】
【図１】本考案による上部ブラシ付き吸引ノズルの一例を示す掃除機全体図である。
【図２】上部ブラシ付き吸引ノズルの一例を示す図である。
【図３】上部ブラシ付き吸引ノズルの断面図である。
【図４】装着式ブラシ
【考案を実施するための形態】
【０００９】
図２は本考案による上部ブラシ付き吸引ノズルの一例を示すものであり、上部ブラシ付き吸引ノズルを天井側から見た平面図である。
【００１０】
図２に示すように、吸引ノズル２の上部にブラシ３が植設された構造を有する。上部とは、吸引ノズルの床接触面ではない天井側を指す。ブラシ３植設位置は例えば吸引ノズル先端部に設ける。ブラシ３は例えばナイロン等の硬い素材で構成される。従って硬質なブラシ３で、椅子などの脚裏のホコリやゴミなどをかき取れる。
【００１１】
図３は図２のＡ-Ａ線で切って示す断面図である。椅子などを傾け持ち上げた場合にブラシ３が椅子脚裏に当りやすいように斜めに加工されてもよい。
【００１２】
図４は、手持ちの掃除機用装着ブラシ４であって、両面テープ５で装着でき、安価で椅子などの脚裏のホコリやゴミなどをかき取る効果が得られる。両面テープは、使用していても容易に剥がれない粘着の強いものにする。
【符号の説明】
【００１３】
１  掃除機
２  吸引ノズル
３  ブラシ
４  装着式ブラシ
５  両面テープ
【図１】
0003159389.tif 000003
【図２】
0003159389.tif 000004
【図３】
0003159389.tif 000005
【図４】
0003159389.tif 000006
(57)【要約】      （修正有）【課題】金属その他の塗装面の乾燥に使用される乾燥機を、被乾燥面自体の温度を計測して制御するための温度測定センサを提供する。【解決手段】温度測定センサ１をセンサ取付けネジ２本によりセンサホルダ２に取付ける。また、センサホルダ２をセンサホルダ取付けネジ２本でセンサパイプ３に取付け、温度測定センサユニット６を構成する。センサパイプ３には、長方形の窓３ａが明けられており、カメラ用三脚のカメラ取付け部をこの窓３ａに合わせ、カメラ用三脚のカメラ取付けネジをセンサホルダ２のネジ穴２ｂへねじ込むことにより、温度測定センサユニット６がカメラ用三脚に固定される。被乾燥面を乾燥させるため乾燥機の放射熱により乾燥させる。被乾燥面を最適な温度に保つために温度測定センサユニット６により、被乾燥面の温度を測定し、乾燥機を制御する。【選択図】図１
0003159382.tif 000002
【実用新案登録請求の範囲】
【請求項１】
非接触式温度調整器の温度測定センサ部をパイプの中に嵌め込み、温度測定センサの検出面がパイプ端面より３０ｍｍ程度内側に取付け、当該パイプをカメラ用三脚のカメラ取付け部に取付けられるようにし、乾燥機の横に設置し被乾燥面の温度を常時監視しても、乾燥機からの放射熱や被乾燥面からの輻射熱に影響されることなく、被乾燥面の温度を常時測定することの出来る温度測定センサユニット。
【考案の詳細な説明】
【技術分野】
【０００１】  本考案は、金属その他の塗装面の乾燥に使用される乾燥機を制御するための非接触式温度調節器における温度測定センサに関する。
【背景技術】
【０００２】  塗装面の乾燥においては、乾燥機による乾燥が通例であるが塗装面の温度管理が最も重要な要素である。
従来においては、市販の非接触式温度調節器を用いて温度測定センサを乾燥機のヒーター部の横に設置し、被乾燥面の温度を測定し、乾燥機を制御するタイプのものがあるが、被乾燥面からの輻射熱や、乾燥機の近くにあるため乾燥機の放射熱の影響を受け誤動作が多く発生する。
このため、タイマーにより乾燥機を時間で制御する方式のものが主流となっている。
この場合塗装面の温度を測定し乾燥機を制御する方式と比べ、乾燥後の塗装面の仕上りが劣る上にバラツキが生じる。
【考案の開示】
【考案が解決しようとする課題】
【０００３】  非接触式温度調節器における温度測定センサを乾燥機の横に設置し、乾燥中においても乾燥機からの放射熱や被乾燥面からの輻射熱に影響されることなく被乾燥面の温度を常時測定し、上下限の温度設定により乾燥機の、制御が行える温度測定センサユニットを提供することを目的とした。
【課題を解決するための手段】
【０００４】  本考案においては、非接触温度測定センサを、外径５０ｍｍ厚さ３ｍｍ，長さ１００ｍｍのアルミパイプの中に、非接触温度測定センサの検出面が、アルミパイプの端面から３０ｍｍ内側となる様にセンサホルダを介して取付け、このユニットを、カメラ用三脚のカメラ取付け部に取付けられる様にした。
【考案実施の形態】
【０００５】  本考案は、塗装面を乾燥させる乾燥機を制御するための、温度測定センサとして使用する。
【実施例】
【０００６】  図１及び図２において、温度測定センサ（１）はセンサ取付けネジ（４）２本によりセンサホルダ（２）に取付けられている。
センサホルダ（２）はセンサパイプ（３）取付け用ネジ穴Ａ（２ａ）にセンサホルダ取付けネジ（５）２本でセンサパイプ（３）に取付けられている。
上記により温度測定センサ（１）、センサホルダ（２）及びセンサパイプ（３）は一体となり、温度測定センサユニット（６）を構成する。
センサパイプ（３）には、長方形の窓（３ａ）が明けられており、カメラ用三脚のカメラ取付け部をこの窓（３ａ）に合わせ、カメラ用三脚のカメラ取付けネジをセンサホルダ（２）のネジ穴Ｂ（２ｂ）へねじ込むことにより、本考案による温度測定センサユニットがカメラ用三脚に固定される。
図３において、被乾燥面（８）を乾燥させるため乾燥機（７）の放射熱により乾燥させる。この時被乾燥面（８）の温度管理が仕上り具合の非常に重要な要素になる。被乾燥面（８）を最適な温度に保つために温度測定センサユニット（６）により、被乾燥面（８）の温度を測定し、乾燥機（７）を制御する。
本考案による温度測定センサユニット（６）では、温度測定センサ（１）がセンサパイプ（３）の中に嵌め込まれているため、乾燥機（７）からの放射熱や被乾燥面（８）からの輻射熱に影響される事なく、被乾燥面（８）の温度を測定する事が出来る。
又本考案による温度測定センサユニット（６）はカメラ用三脚に取付けられる様にした事により、簡単に設置出来、被乾燥面（８）の測定ポイントに温度測定センサ（１）を合わせる事が出来る。
【考案の効果】
【０００７】本考案は前記の様に、乾燥機からの放射熱や被乾燥面からの輻射熱に影響される事なく、被乾燥面自体の温度を測定する事が出来るため乾燥機を制御して被乾燥面の温度を最適な温度に保つ事が可能となり被乾燥面の仕上り具合をバラツキなく良好な状態に仕上げる事が出来る。
上記の如く、安定して良好な状態に仕上げる事が出来ると共にカメラ用三脚により設置出来簡単に測定ポイントに合わせる事が出来るため作業時間が短縮され、作業効率が上昇する。
【図面の簡単な説明】
【図１】本考案による温度測定センサユニットの側面断面図。
【図２】本考案による温度測定センサユニットの背面図。
【図３】本考案による温度測定センサユニット使用時の設置平面図
【符号の説明】１    温度測定センサ
２    センサホルダ
２ａ  ネジ穴Ａ
２ｂ  ネジ穴Ｂ
３    センサパイプ
３ａ  長方形の窓
４    センサ取付けネジ
５    センサホルダ取付けネジ
６    温度測定センサユニット
７    乾燥機
８    被乾燥面
【図１】
0003159382.tif 000003
【図２】
0003159382.tif 000004
【図３】
0003159382.tif 000005
(57)【要約】      （修正有）【課題】就寝時は足を締め付けることなく足を保温し、歩行する日常時には快適に歩行できるズボンを提供する。【解決手段】ズボンを足先から１０ｃｍほど長くすることで、ズボンに足先が包まれることにより、靴下の着用による足先の圧迫をなくし、血流を維持し足先まで体温を伝える。また、ズボンの足先が袋状になるため、ズボンの隙間からの温かい空気の流出を防ぎ、また完全に閉じるわけでないので、暑い時には足先をズボンから出し体温コントロールも簡単に行える。また歩行時は両脇につけられた紐とボタンでズボンをたくし上げた状態で固定し、ズボンを引きずることなく歩行することが出来る。【選択図】図１
0003159321.tif 000002
【実用新案登録請求の範囲】
【請求項１】
ズボンの長さを足のくるぶしまででなく、足先から１０ｃｍ程長くし、足先を締め付けず足先が包まれる形状にしたことを特徴としたズボン。
【請求項２】
足先にボタンとそれをとめる穴をもうけ、足先が包まれた状態を維持することを特徴としたズボン。
【請求項３】
ズボンの両脇にボタンとそれを吊り下げる紐を取り付け、歩行時にズボンをたくし上げてボタンに紐をかけ、足先をズボンから出し、ズボンを引きずる事なく歩行が出来ることを特徴としたズボン。
【考案の詳細な説明】
【技術分野】
【０００１】  この考案はズボンの形状に関する。
【背景技術】
【０００２】  従来のズボンの形状は、日常において歩行などに支障のない長さに設定されているため、足先がでており足先まで温める事が出来ず、温めるためには靴下などをはいていたが、靴下が足先を締め付けるため血流の流れが悪くなり結果体温が足先まで伝わらず、冷え性で血流が悪い方は靴下をはいても寒い思いをしている。
【先行技術文献】
【実用新案登録文献】
【０００３】
【実用新案登録文献１】
特開２００７−２２４４４０
【考案の概要】
【考案が解決しようとする課題】
【０００４】  しかしながら、以上の技術によれば、ズボンの先から足先が出るため、足先が冷たく就寝時などは靴下を履く等の対処法を取っていたが靴下は足先を締め付けるため血流の流れが悪くなり体温が足先まで伝わらず、冷え性で血流が悪い方は靴下を履くことが足を温める事につながらなかった。
そこで、この考案は、就寝時は足を締め付けることなく足を保温し、歩行する日常時には快適に歩行できるズボンを提供することを課題とする。
【課題を解決するための手段】
【０００５】  以上の課題を解決するために、第一考案は、ズボンの長さを足先１０ｃｍ程まで長くしたことを特徴とするズボンである（図１）。
また、第二考案は、ズボンの足先にボタンを取り付け（図２、図３）、ズボンを袋状に固定し（図４、図５）足を閉めつけず、足先が外気にふれずに保温することを特徴とするズボンである。
また、第三考案は、ズボンの両太もも脇にボタン（図１ａ）とそれを引っ掛ける紐（図１ｂ）を取り付け、歩行時にはズボンをたくし上げ紐とボタンで固定し（図６、図７）支障なく歩行できることを特徴とするズボンである。
【考案の効果】
【０００６】  第一考案によれば、ズボンの長さを足先１０ｃｍ程まで長くした（図１）ので、足先が外気にふれず保温され、また靴下のように締め付けないため血流を悪くせず体温が足先まで伝わり、布団に入るときのズボンのずり上がりも足先から折れている１０ｃｍの部分が摩擦によりズボンが袋状のまま固定され、ずり上がりを防ぐため就寝時の足先の保温性が上がった。
第二考案によれば、ズボンの足先にボタンを取り付けたため、ズボンを袋状に固定でき（図４，図５）靴下のように締め付けず、保温性を高め血流を悪くせず体温が足先まで伝わり布団に入るときのズボンのずり上がりも防ぐため就寝時の足先の保温性が上がった。
第三考案によれば、ズボンの両太もも脇にボタンとそれを引っ掛ける紐を取り付けたため起床時にズボンをたくし上げボタンを紐に引っ掛けるだけで足先が出るため（図６、図７）、日常生活に支障なく行動できる。
【図面の簡単な説明】
【０００７】
【図１】この考案の左側面を示す平面図である。
【図２】この考案の右前面を示す部分平面図である。
【図３】この考案の右後面を示す部分平面図である。
【図４】この考案の左側面を示す部分平面図の変形例である。
【図５】この考案の右前面を示す部分平面図の変形例である。
【図６】この考案の右前面を示す平面図の変形例である。
【図７】この考案の左側面を示す平面図の変形例である。
【図８】従来のズボンの左側面を示す平面図である。
【考案を実施するための形態】
【０００８】  この考案の一実施形態を、図１に示す。
このズボンは布製であり、このズボンの両太もも部分（ズボンの上部、腰部分から３０ｃｍほど下がったところ）にたくし上げた時用の紐（図１ａ）が取り付けられている。またズボンの両脹脛部分（ズボンの上部、腰部分から６０ｃｍほど下がったところ）には、紐にかけるためのボタン（図１ｂ）が付いている。ズボンの長さは通常のサイズの物に比べ、太もも部分が３０ｃｍ程長くしてあるため、足先から１０ｃｍほど長く伸びている（図１）。ズボンを長くする部分は太もも部分としないとズボンをたくし上げたとき窮屈でたくし上げられなくなる。ズボンの両足先には裏と表に足先から２ｃｍほどの所にボタン穴がついており（図２、図３）、ズボンに両足先の表、足先から１５ｃｍほどに取り付けたボタンに止めることが出来るようになっている。
【符号の説明】
【０００９】ａ  太もも脇吊り下げ用紐
ｂ  太もも脇吊り下げ用ボタン
ｃ  足先固定用ボタン
ｄ  足先ボタン穴表面
ｅ  足先ボタン穴裏面
【図１】
0003159321.tif 000003
【図２】
0003159321.tif 000004
【図３】
0003159321.tif 000005
【図４】
0003159321.tif 000006
【図５】
0003159321.tif 000007
【図６】
0003159321.tif 000008
【図７】
0003159321.tif 000009
【図８】
0003159321.tif 000010
【手続補正書】
【提出日】平成22年2月24日(2010.2.24)
【手続補正１】
【補正対象書類名】実用新案登録請求の範囲
【補正対象項目名】全文
【補正方法】変更
【補正の内容】
【実用新案登録請求の範囲】
【請求項１】
ズボンの長さを足のくるぶしまででなく、足先から１０ｃｍ程長くし、足先を締め付けず足先が包まれる形状にしたことを特徴としたズボン。
【請求項２】
足先にボタンとそれをとめる穴をもうけ、足先が包まれた状態を維持することを特徴とした請求項１記載のズボン。
【請求項３】
ズボンの両脇にボタンとそれを吊り下げる紐を取り付け、歩行時にズボンをたくし上げてボタンに紐をかけ、足先をズボンから出し、ズボンを引きずる事なく歩行が出来ることを特徴とした請求項１記載のズボン。
(57)【要約】      （修正有）【課題】聴診器ホルダーの機能を持つ専用ポケットを取り付けることによって、聴診器を簡便に収納し得るナースウェアを提供する。【解決手段】ナースウェア本体１にイヤーピース及び耳管上部収納ポケット２と、チューブ及びチェストピース収納ポケット５を設置し、聴診器３を保持・収納する。両側解放型（トンネル状）ポケット２は両端からイヤーピース部分を挿入し、耳管部のばね４を利用して外れないようになっている。チューブ及びチェストピース収納ポケット５は従来のポケットより一回り大きく余裕をもってチェストピースとチューブが収納できる。従ってイヤーピース及び耳管上部収納ポケット２とチューブ及びチェストピース収納ポケット５が連携して聴診器３を収納することができ、聴診器の取り扱いが便利になる。【選択図】図１
0003159326.tif 000002
【実用新案登録請求の範囲】
【請求項１】
本願のナースウェアは、聴診器のイヤーピース及び耳管上部を収納するため、イヤーピース及び耳管上部収納用ポケットを有している。このイヤーピース及び耳管上部収納用ポケットは、前記のチューブ及びチェストピース収納用ポケットの上方に配置されており、これらの２つのポケットが連携することによって聴診器を収納可能な位置に配置するよう構成された特徴をもつナースウェアである。
【請求項２】
本願のナースウェアは、聴診器のイヤーピース及び耳管上部を収納するポケットを有し、聴診器の耳管部のばねが内側に付勢することによりイヤーピース及び耳管上部をトンネル状のポケットに収納し聴診器が保持されるように構成された特徴をもつ、請求項１に記載のナースウェアである。
【考案の詳細な説明】
【技術分野】
【０００１】  本考案は、看護師が着用するナースウェアに聴診器をホルダーする専用ポケットを設けたものである。
【背景技術】  従来のナースウェアには聴診器全体を収納するポケットがなかったため、聴診器を首の後ろから肩にかけたり、首を挟むようにして装着していた。【０００２】
【考案の概要】
【考案が解決しようとする課題】
【０００３】  看護師の業務において聴診器が必携であるが、従来のポケットでは聴診器全体を収納するには小さく不便であった。そのため、聴診器を首の後部から両肩を経て前胸部に垂らす方法や、首の前面から首を挟むようにして装着している。前者は姿勢の変化や動作で容易に落下しやすく、後者は耳管部分のばねがきつく窮屈で作業しにくい現状であった。従って、姿勢や動作の変化があっても携帯している聴診器が落下しないことと、必要な時に容易に聴診器が取り出せて使用が終わったら容易に収納できるように、ナースウェアと聴診器のホルダーを一体化させて前述の欠点を解決しようとするものである。
【課題を解決するための手段】
【０００４】  ナースウェアの右胸上部に、聴診器のイヤーピース部分及び耳管を収納する両側解放型（トンネル状）のポケットを設置し、右側腹部に聴診器のチューブ及びチェストピースを収納するポケットを設置した。従って、この２つのポケットが連携することによって聴診器を収納し問題点を解決している。
【考案の効果】
【０００５】  聴診器が姿勢や動作の変化によって落下せず保持され、必要な時にいつでも取り出せて使用が終了したら容易に収納できる。方法が簡単でだれでもできることと、動作時にチューブをドアノブやベッドに引っかける危険性や、落下による器具の汚染を防ぐ効果もある。
【図面の簡単な説明】
【０００６】
【図１】本考案の聴診器ホルダー付ナースウェアの実施例を示す正面図である。
【図２】実施例の側面図である。
【図３】イヤーピース及び耳管上部の収納状態を示す拡大図である。
【図４】チューブ及びチェストピースの収納状態を示す拡大図である。
【考案を実施するための形態】
【０００７】  聴診器を使用するときは、両耳管部を手で少し広げることによって右胸上部のトンネル状のポケットからイヤーピース及び耳管上部がはずれ、使用者はイヤーピースを両耳に装着する。次に右側腹部のポケットからチェストピースを取り出し、対象の胸部に当てて心臓の音や呼吸音を聴く。聴診が終了したらチェストピースを右側腹部のポケットに戻し、イヤーピース部を耳からはずして右胸上部のトンネル状のポケットに戻す。
【実施例】
【０００８】  以下、添付図面に従って一実施例を説明する。１ナースウェアの２は、３聴診器のイヤーピース及び耳管上部を収納するため、両側解放型（トンネル状）のポケットで３全体を吊り下げる役割を果たす。３は軽量であるが、素材は本体の生地より厚めでポケットの上下の縫製部分を強くし３の重量負荷に耐えられるようにしている。２の横幅はイヤーピース及び耳管上部を充分収納できる長さである。また、イヤーピース部分がポケットから外れないのは、３の耳管のばね４の力が常に内側に向いていることを利用しているからである。５はチューブ及びチェストピースを収納するため、従来より大きいポケットにした。これはチェストピースの収納は勿論であるが、チューブが長いために出現する弛む部分を大きいポケットの中で丸く曲げ、チューブがポケットからはみださないで収納されるようにするためである。
【産業上の利用可能性】
【０００９】  看護師が病院等で勤務する時ボールペンやペンライトなどと同様に、ナースウェアに聴診器を常に携帯して仕事ができる。従って、従来の方法より聴診器の取り扱いが便利になる。
【符号の説明】
【００１０】  １  ナースウェア本体
２  イヤーピース及び耳管上部収納ポケット
３  聴診器
４  耳管部のばね
５  チューブ及びチェストピース収納ポケット
６  小物収納ポケット
７  左胸ポケット
８  左側腹部ポケット
【図１】
0003159326.tif 000003
【図２】
0003159326.tif 000004
【図３】
0003159326.tif 000005
【図４】
0003159326.tif 000006
【手続補正書】
【提出日】平成22年2月25日(2010.2.25)
【手続補正１】
【補正対象書類名】実用新案登録請求の範囲
【補正対象項目名】全文
【補正方法】変更
【補正の内容】
【実用新案登録請求の範囲】
【請求項１】
聴診器のイヤーピース及び耳管上部を収納するためのイヤーピース及び耳管上部収納用ポケットと、チューブ及びチェストピース収納用ポケットとを有し、上記イヤーピース及び耳管上部収納用ポケットは、上記チューブ及びチェストピース収納用ポケットの上方に配置されており、これらの２つのポケットが連携することによって聴診器を収納可能な位置に配置することを特徴とするナースウェア。
【請求項２】
上記イヤーピース及び耳管上部収納用ポケットはトンネル状の形状を有し、聴診器の耳管部のばねが内側に付勢することにより、イヤーピース及び耳管上部を上記イヤーピース及び耳管上部収納用ポケットに収納し聴診器が保持されることを特徴とする請求項１に記載のナースウェア。
(57)【要約】      （修正有）【課題】アンカー爪が岩礁等に根掛りした際に、根掛りを効果的に解除し、容易に回収できるようにしたアンカーを提供する。【解決手段】アンカー１のスチールシャフト２の中央部と先端にストッパー４、スチールシャフト元側にロープを取り付ける為の吊り環３を設け、両ストッパーの間をアンカー爪６を固着したスライドパイプ５がスチールシャフト２に沿って移動自在に取り付けた。アンカーが根掛りした時は、中央部のストッパーをスライドパイプで打撃することでアンカーが効果的に岩礁等から解放される。【選択図】図１
0003159328.tif 000002
【実用新案登録請求の範囲】
【請求項１】
小型船舶を海等で停泊させる際に使用されるアンカーであって、スチールシャフトの中央部と先端にストッパー、スチールシャフト元側にロープ用吊り環を設け、両ストッパーの間を、アンカー爪を固着したスライドパイプがスチールシャフトに沿って移動自在に取り付けられていることを特徴とするアンカー
【考案の詳細な説明】
【技術分野】
【０００１】  本考案は、小型船舶が海等で停泊するためのアンカーに関するもので、アンカーが岩礁等に根掛りした際に効果的に、根掛りを解消できるアンカーに関するものである。
【背景技術】
【０００２】  従来から、牽引の力点を移動させることで引き上げを容易にする小型船舶用のアンカーは種々提案されてきた。特にアンカーのシャフト上を移動できるリングを用いたものとして、特許文献１、２、３等がある。これらはいずれも船舶から引っ張るロープの力点をよりアンカー爪の近くに移動させ、引っ張り上げることで根掛りを解消しようとするものである。その他、弾性体を使用し、弾性体の押圧でアンカー爪を開閉させ離脱解放させる構造の文献４がある。
【先行技術文献】
【特許文献】
【０００３】
【特許文献１】特開２００３−２３７６８６号
【特許文献２】特開２０００−１６３８０号
【特許文献３】特開平１０−３１６０８４号
【特許文献４】実開昭５５−１０７４９７号
【考案の概要】
【考案が解決しようとする課題】
【０００４】  従来提案された力点をアンカー爪の元側に移動する構造のものは船舶を移動しながら力点を移動させる必要があることや移動位置が把握し難いことなど、また力点を移動しても効果的に根掛りを解消する確率はあまり高くないものであった。また、弾性体で押圧して根掛りを解消するものは構造が複雑で、海中で使用すると腐食等も心配され、腐食等により弾性体やアンカー爪の開閉作動ができなくなる可能性がある。
【課題を解決するための手段】
【０００５】  本考案の目的は、アンカー爪が岩礁等に根掛りした際に、根掛りを効果的に解除し、アンカーを容易に回収できるようにする手段を提供することにある。
本考案のアンカーは、アンカーのスチールシャフトの中央部と先端にストッパー、スチールシャフト元側にロープ用吊り環を設け、両ストッパーの間を、アンカー爪を固着したスライドパイプがスチールシャフトに沿って移動自在に取り付けられている。もし、アンカーが根掛りした時は、中央部のストッパーをスライドパイプで打撃することでアンカーを効果的に岩礁等から解放することができる。
【考案の効果】
【０００６】  本考案により、いちいちアンカーロープの位置を移動する必要もなく、従って船舶自身があちこち海上を移動する必要もなくなる。しかも簡単な構造でありながら、根掛りしたアンカー爪を打撃することで効果的にアンカーを解放できる。
【図面の簡単な説明】
【０００７】
【図１】  本考案のアンカーの全体図である
【図２】  アンカーが根掛りした状態の図である
【図３】  ロープを上方に引っ張り上げる時の図である
【図４】  スチールシャフトを押し下げた時の図である
【図５】  スチールパイプが根掛りから解放された時の図である
【図６】  アンカーのシャフトを起こし回収する時の図である
【実施例】
【０００８】  図１は本考案のアンカーの全体図である。図２はアンカーが根掛りした状態の図である。図３はロープを上方に引っ張り上げる時の図である。図４はスチールシャフトを押し下げた時の図である。図５はスチールパイプが根掛りから解放された時の図である。図６はアンカーのシャフトを起こし回収する時の図である。【０００９】  まず、本考案に関するアンカーは、図１に示すように、アンカーが、スチールシャフトと２個のストッパー、ストッパー間を移動可能なスライドパイプ及びスライドパイプに固着したアンカー爪、ロープを繋ぐ吊り環を主たる構成要素とするものである。スチールシャフトは丸棒であり、２個のストッパーはスチールシャフトに溶接されている。スライドパイプはスチールシャフトに沿ってストッパー間を自在に移動できるようにその内径がスチールシャフトの外径よりわずかに大きくしてある。また、アンカー爪はスライドシャフトに溶接されており、爪の数は４本から６本が好ましい。【００１０】  次にアンカーを引き上げる際の手順を、図２、図３、図４、図５、図６を用いて説明する。
図２は岩礁に根掛りした時の状態である。通常、船舶はあちこち位置を移動して根掛りを解消しようとする。本考案では、通常船舶をアンカーの上方に移動する。図３は上方に移動し、スチールシャフトを立てた状態図である。次に図４に示すようにスチールシャフトを重力でスライドして落下させる。この時、アンカー爪はまだ根掛りしたままである。適当にストッパーでスライドシャフトに衝撃を加えながら図５に示すように根掛りを解消する。その後、図６のようにアンカーを引き上げる。
【符号の説明】
【００１１】１  アンカー
２  スチールシャフト
３  吊り環
４  ストッパー
５  スライドパイプ
６  アンカー爪
７  ロープ
８  岩礁
【図１】
0003159328.tif 000003
【図２】
0003159328.tif 000004
【図３】
0003159328.tif 000005
【図４】
0003159328.tif 000006
【手続補正書】
【提出日】平成22年3月16日(2010.3.16)
【手続補正２】
【補正対象書類名】明細書
【補正対象項目名】０００７
【補正方法】変更
【補正の内容】
【０００７】
【図１】本考案のアンカーの全体図である
【図２】アンカーが根掛りした状態の図である
【図３】ロープを上方に引っ張り上げる時の図である
【図４】スチールシャフトを押し下げた時の図である